(57)【要約】      （修正有）【課題】使用の安定性と安全性を確保でき、放熱性に優れ、照明器具の寿命が延びる車用ＬＥＤランプ放熱構造を提供する。【解決手段】絶縁性をもつランプ台座１０と、放熱部材２０と、発光モジュール３０と、透光ランプカバー４０とからなる。ランプ台座の中央は、放熱部材を収容する収容溝１１を備え、ランプ台座の外側には、複数の放熱孔１４が設けられる。収容溝内縁における各放熱孔の間にはストッパー部が設けられ、放熱部材はくり抜かれた円筒状であり、複数の透孔２３と複数の弧状放熱フィン２２とを備える。発光モジュールは、放熱部材頂面に取り付けられる回路板と、回路板に結合されるＬＥＤ発光体３２と、回路板に電気的に接続される二本の電極ピンとからなり、電極ピンは放熱部材の透孔を通ってランプ台座の外側に出て、電極台座１５をまたいで折り返すように連結される。【選択図】図１
0003182007.tif 000002
【実用新案登録請求の範囲】
【請求項１】
ランプ台座と、放熱部材と、発光モジュールと、ランプカバーとからなる車用ＬＥＤランプ放熱構造であって、
ランプ台座は、絶縁性をもつ材料からなり、ランプ台座の中央は、放熱部材を収容するための収容溝を備え、ランプ台座の外側には、収容溝と連通する複数の放熱孔が設けられ、前記収容溝内縁面における各放熱孔の間には、それぞれストッパー部が設けられ、それにより、各放熱フィンは各ストッパー部の間に係止され、放熱部材はランプ台座内に固定され、
放熱部材は、収容溝内に収容されて被覆されるとともに、くり抜かれた筒状体であり、放熱部材は、複数の透孔と、各ストッパー部の間に係止されるとともに各放熱孔に対応する複数の放熱フィンとを備え、
発光モジュールは、前記放熱部材頂面に取り付けられる回路板と、回路板に結合されるＬＥＤ発光体と、回路板に電気的に接続される二本の電極ピンとからなり、前記二本の電極ピンは、それぞれ、前記放熱部材の透孔を通って、前記ランプ台座の外側に出て、前記ランプ台座下端の電極台座をまたいで折り返すように連結され、
ランプカバーは、光を通す性質をもつカバー体であり、ランプ台座を覆うように連結されることを特徴とする、車用ＬＥＤランプ放熱構造。
【請求項２】
前記放熱部材は、アルミ押し出し成型によってなり、その断面はエの字状を呈し、前記放熱部材の矩型本体の二つの短辺は、分かれて延伸して二つの弧状の放熱フィンを形成し、分かれて延伸した二つの弧状の放熱フィンの間には、凹状透孔が形成され、左、右側の上下が向き合う二つの弧状の放熱フィンの間には、電極ピンを穿設可能なＣ状透孔が形成されることを特徴とする、請求項１に記載の車用ＬＥＤランプ放熱構造。
【請求項３】
前記ランプ台座の上端には、対向する複数の係止孔が設けられ、前記ランプカバー下端には、ランプ台座頂面に係合される環状階段部が設けられるとともに、前記収容溝内に嵌合される係止連結部が設けられ、前記係止連結部には、前記ランプ台座の複数の係止孔に係止される嵌合係止凸部が設けられることを特徴とする、請求項１に記載の車用ＬＥＤランプ放熱構造。
【請求項４】
前記各放熱孔は、円孔或いは矩形孔であるとともに、間隔をあけて配列されることを特徴とする、請求項１に記載の車用ＬＥＤランプ放熱構造。
【考案の詳細な説明】
【技術分野】
【０００１】
本考案は車用ＬＥＤランプ放熱構造に関し、特に放熱部材をランプ台座内に収容することで、外への露出によるショートを防ぐことができ、優れた導熱及び放熱効果を得ることができるとともに、照明器具の使用寿命を延ばすことができる車用ＬＥＤランプ放熱構造に関する。
【背景技術】
【０００２】
ＬＥＤライトは、高輝度、省エネ、環境保護、長い寿命などの利点を備えており、ハロゲンランプ、キセノンランプなどの従来の光源に取ってかわりつつあり、車のライトにも使用されている。しかしながら、パワー、輝度が大きくなったＬＥＤライトは、それに伴って生じる熱量も高くなり、高すぎる熱量を取り除くことができなかった場合、前記ＬＥＤライトは熱くなりすぎて光の出力が減り、さらには、壊れてしまって、使用寿命が短くなる。従って、どのようにして、ＬＥＤランプの熱の問題を解決するかが、ＬＥＤランプの光の出力と寿命の二つの問題を解決する鍵となり、業界が解決したいと考えている課題である。
【０００３】
図８を参照する。図８に示すように、従来の車用のＬＥＤランプ放熱構造は、下端に差込連結台座６２を備えるランプ台座６１からなる。ランプ台座６１内部には、ＬＥＤ発光体を備える発光モジュール６３が連結され、外側には、外部にフィンが環状に設けられた放熱部材６４が結合され、頂端は、ランプカバー６５で覆われる。
【０００４】
従来の技術で解決すべき課題は以下の通りである。上述した発光モジュール６３に生じる熱エネルギーは、外側にフィンを備える放熱部材６４を介して外側へ放熱され、発光モジュール６３が熱くなりすぎるのを防ぐことができる、しかしながら、放熱部材６４が外側へ完全に露出するため、車のライトの内部空間が限られている状況では、放熱部材６４が車のライト内の周辺に取り付けられている部材に導通してショートをおこしやすく、使用の安定性が悪くなり、車が燃えてしまう危険が生じる。
【考案の概要】
【考案が解決しようとする課題】
【０００５】
本考案は、ランプ台座内部に放熱部材を包み込むことでショートしてしまうのを防ぐことができるため、使用の安定性と安全性を確保することができるだけでなく、優れた放熱効果をえることができ、照明器具の使用寿命を延ばすことができる、車用ＬＥＤランプ放熱構造を提供することを目的とする。
【０００６】
また、本考案は、放熱面積を増やすことができる車用ＬＥＤランプ放熱構造を提供することを目的とする。
【０００７】
また、本考案は、相互に嵌めこんで組み合わせる方式により、組み立てと交換がしやすい車用ＬＥＤランプ放熱構造を提供することを目的とする。
【課題を解決するための手段】
【０００８】
上述の目的を達成するために、本考案は、絶縁性をもつランプ台座と、放熱部材と、発光モジュールと、透光ランプカバーとからなる。前記ランプ台座の中央は、放熱部材を収容する収容溝を備え、前記ランプ台座の外側には、収容溝を連通する複数の放熱孔が設けられる。前記収容溝内縁における各放熱孔の間にはストッパー部が設けられ、前記放熱部材は、くり抜かれた円筒状である。また、前記放熱部材は、複数の透孔と、各ストッパー部間に係止されるとともに各放熱孔に対応する複数の弧状放熱フィンとを備える。前記発光モジュールは、前記放熱部材頂面に取り付けられる回路板と、回路板に結合されるＬＥＤ発光体と、回路板に電気的に接続される二本の電極ピンとからなり、前記二本の電極ピンは、それぞれ、前記放熱部材の透孔を通って、前記ランプ台座の外側に出て、前記ランプ台座下端の電極台座をまたいで折り返すように連結される。
【０００９】
前記ランプ台座の上端は、対向する複数の係止孔を備え、前記ランプカバー下端には、ランプ台座頂端面に係合される環状階段部が設けられるとともに、収容溝内に嵌合される係止連結部が設けられ、前記係止連結部には、ランプ台座複数の係止孔に係止される複数の嵌合係止凸部が設けられる。  
【００１０】
前記放熱部材はアルミ押し出し成型によってなり、その断面はエの字状を呈し、前記放熱部材の矩型本体の二つの短辺は、分かれて延伸して二つの弧状の放熱フィンを形成し、分かれて延伸した二つの弧状の放熱フィンの間には、凹状透孔が形成され、左、右側の上下が向き合う二つの弧状の放熱フィンの間には、電極ピンを穿設可能なＣ状透孔が形成される。
【００１１】
前記放熱部材と前記回路板の間には、導熱ペーストが塗布される。
【図面の簡単な説明】
【００１２】
【図１】本考案を示した分解斜視図である。
【図２】本考案を組み合わせた状態を示した斜視図である。
【図３】本考案を組み合わせた状態を示した断面図である。
【図４】本考案において、熱エネルギーが外に向かって排出される状態を上から示した断面図である。
【図５】本考案において、熱エネルギーが外に向かって排出される状態を前から示した断面図である。
【図６】本考案の円形の放熱孔の配置を示した説明図である。
【図７】本考案の同じ矩形の放熱孔の配置を示した説明図である。
【図８】従来の車用ＬＥＤランプ放熱構造を示した斜視図である。
【考案を実施するための形態】
【００１３】
図１から図５に示すように、本考案は、ランプ台座１０と、放熱部材２０と、発光モジュール３０と、透光ランプカバー４０と、からなる。
【００１４】
ランプ台座１０は、例えば、プラスチックのような絶縁性をもつ材料からなるが、プラスチックに限定されるものではない。ランプ台座１０の中央には、収容溝１１が設けられ、ランプ台座１０の外側には、収容溝１１に連通する複数の放熱孔１４が間隔を空けて設けられるとともに、向かい合う係止孔１３が設けられる。放熱孔１４は、図に示すように、形状の異なる矩形孔を上下に配列するか、或いは、図６、図７に示すように、円形孔１４Ａを、矩形を呈するように配列するか、或いは、同じ矩形孔１４Ｂを配列する。いずれも、同様に、優れた熱排出・温度降下の効果がある。ランプ台座１０底端には、電極台座１５が設けられ、収容溝１１内には、電極台座１５に連通する穿孔１６が設けられ、収容溝１１内の縁面における各放熱孔１４の間にはストッパー部１７が設けられ、それにより、各弧状放熱フィン２２が各ストッパー部１７の間に係止され、放熱部材２０がランプ台座１０内に固定される。
【００１５】
放熱部材２０は、ランプ台座１０の収容溝１１内に設けられる。放熱部材２０は、アルミ押し出し成型によってなり、その断面はエの字状を呈し、矩型本体２１の二つの短辺は、分かれて延伸して二つの弧状の放熱フィン２２を形成し、分かれて延伸した二つの弧状の放熱フィン２２の間には、凹状透孔２３が形成される。また、左、右側の上下が向き合う二つの弧状の放熱フィン２２の間には、電極ピン３３を穿設可能なＣ状透孔２４が形成される。
【００１６】
発光モジュール３０は、放熱部材２０頂面に設けられた回路板３１と、回路板３１に結合されるＬＥＤ発光体３２と、回路板３１に電気的に接続される二本の電極ピン３３と、からなる。図５に示すように、回路板３１と放熱部材２０の間には、さらに、導熱ペーストＡが塗布され、二本の電極ピン３３下端は、Ｕ状折り返し結合部３３１を形成し、Ｕ状折り返し結合部３３１は、それぞれ放熱部材２０のＣ状透孔２４を通り、ランプ台座１０外側へと出て、ランプ台座１０下端の電極台座１５をまたいで折り返すように連結される。なお、Ｕ状折り返し結合部３３１は、電子素子３４（例えば、抵抗器或いはダイオード或いはその他の電子素子）に結合される。
【００１７】
ランプカバー４０は、光を通す性質をもつカバー体であり、図３に示すように、カバー体下端には、ランプ台座１０頂面に係合される環状階段部４１と、収容溝１１内に嵌合される係止連結部４２とが設けられ、係止連結部４２に設けられた複数の嵌合係止凸部４３は。ランプ台座１０複数の係止孔１３に係止される。  
【００１８】
図４に示すように、本考案の放熱部材２０をランプ台座１０の収容溝１１内に置き、各弧状放熱フィン２３を二つのストッパー部１７の間に配置すると、各弧状放熱フィン２２が各ストッパー部１７の係止を受けて固定され、それにより、放熱部材２０は回転させることができなくなってしっかりと位置が固定される。なお、放熱部材２０は、簡単にランプ台座１０収容溝１１内に収容することができるとともに、車のライト内に取り付けられたその他の部材と隔離することができるため、相互に導通してショートしてしまうことがなくなる。このため、本考案は、安定度と安全性が高く、取り付けの固定性に優れている。
【００１９】
図４、５に示すように、本考案の放熱部材２０は、アルミ押し出し成型でなるくり抜かれた円筒状であるため、その放熱面積が大きく、放熱効果が高い。さらには、本考案の放熱部材２０はランプ台座１０内に収容されているため、各弧状放熱フィン２２を各放熱孔１４に直接対応させることができる。以上の構造により、車のライトの電源をオンにした時、発光モジュール３０から生じた熱エネルギーは、くり抜かれた円筒状放熱部材２０によって、各弧状放熱フィン２２に効率的に伝わり、ランプ台座１０の対応する各放熱孔１４を経由して外へと素早く排出され、素早く温度がさがる。以上によって、優れた導熱及び放熱効果を達成することができ、照明器具の使用寿命を延ばすことができる。
【符号の説明】
【００２０】
（従来技術）
６１        ランプ台座            
６２        差込連結台座            
６３        発光モジュール
６４        放熱部材        
６５        ランプカバー
（本考案）
１０        ランプ台座            
１１        収容溝            
１３        係止孔
１４        放熱孔        
１４Ａ      円形孔          
１４Ｂ      矩形孔
１５        電極台座        
１６        穿孔                
１７        ストッパー部
２０        放熱部材        
２１        矩型本体            
２２        放熱フィン  
２３        透孔            
２４        Ｃ状透孔          
３０        発光モジュール
３１        回路板            
３２        ＬＥＤ発光体      
３３        電極ピン
３４        電子素子        
４０        ランプカバー                  
４１        環状階段部
４２        係止連結部        
４３        嵌合係止凸部
【図１】
0003182007.tif 000003
【図２】
0003182007.tif 000004
【図３】
0003182007.tif 000005
【図４】
0003182007.tif 000006
【図５】
0003182007.tif 000007
【図６】
0003182007.tif 000008
【図７】
0003182007.tif 000009
【図８】
0003182007.tif 000010